(57)【要約】  情報記録媒体（３００）は、全体コンテンツ情報（ＶＯＢ）と、全体コンテンツ情報の一部である少なくとも一つの部分コンテンツ情報（ＶＯＢＵ）が示すコンテンツ内容の特徴を示す特徴量情報（１５０、１６０）とが記録されている。【特許請求の範囲】
【請求項１】
全体コンテンツ情報と、
前記全体コンテンツ情報の一部である少なくとも一つの部分コンテンツ情報が示すコンテンツ内容の特徴を示す特徴量情報と
が記録されていることを特徴とする情報記録媒体。
【請求項２】
前記全体コンテンツ情報は、複数の前記部分コンテンツ情報に細分化されており、
前記特徴量情報は、前記複数の部分コンテンツ情報の夫々の前記特徴を示すことを特徴とする請求の範囲第１項に記載の情報記録媒体。
【請求項３】
前記部分コンテンツ情報の大きさは、前記全体コンテンツ情報を記録する際の最小ユニット単位の大きさであることを特徴とする請求の範囲第１項に記載の情報記録媒体。
【請求項４】
前記全体コンテンツ情報は、少なくとも音声コンテンツを含んでおり、
前記特徴量情報は、前記部分コンテンツ情報中における前記音声コンテンツの音量値の平均、前記部分コンテンツ情報中における前記音量値の増減の傾向、並びに前記部分コンテンツ情報の開始部分及び終了部分の夫々の前記音量値の差分の少なくとも一つを含むことを特徴とする請求の範囲第１項に記載の情報記録媒体。
【請求項５】
前記全体コンテンツ情報は、少なくとも映像コンテンツを含んでおり、
前記特徴量情報は、前記部分コンテンツ情報中における前記映像コンテンツの輝度値の平均、前記部分コンテンツ情報中における前記輝度値の増減の傾向、並びに前記部分コンテンツ情報の開始部分及び終了部分の夫々の前記輝度値の差分の少なくとも一つを含むことを特徴とする請求の範囲第１項に記載の情報記録媒体。
【請求項６】
前記全体コンテンツ情報は、少なくとも音声コンテンツを含んでおり、
前記特徴量情報は、前記全体コンテンツ情報の全再生時刻にわたる前記音声コンテンツの音量値の変化を示す音量変化情報を含むことを特徴とする請求の範囲第１項に記載の情報記録媒体。
【請求項７】
前記全体コンテンツ情報は、少なくとも映像コンテンツを含んでおり、
前記特徴量情報は、前記全体コンテンツ情報の全再生時刻にわたる前記映像コンテンツの輝度値の変化を示す輝度変化情報を含むことを特徴とする請求の範囲第１項に記載の情報記録媒体。
【請求項８】
前記部分コンテンツ情報に、当該部分コンテンツ情報の前記特徴を示す前記特徴量情報が含まれるように、前記特徴量情報が記録されることを特徴とする請求の範囲第１項に記載の情報記録媒体。
【請求項９】
請求の範囲第１項に記載の情報記録媒体に前記全体コンテンツ情報を記録する情報記録装置であって、
前記全体コンテンツ情報を記録する第１記録手段と、
前記全体コンテンツ情報より前記特徴を抽出して前記特徴量情報を作成する作成手段と、
前記作成された特徴量情報を記録する第２記録手段と
を備えることを特徴とする情報記録装置。
【請求項１０】
前記第１記録手段は、前記部分コンテンツ情報を記録することで前記全体コンテンツ情報を記録し、
前記第２記録手段は、前記部分コンテンツ情報に、当該部分コンテンツ情報の前記特徴を示す前記特徴量情報が含まれるように前記特徴量情報を記録することを特徴とする請求の範囲第９項に記載の情報記録装置。
【請求項１１】
前記全体コンテンツ情報は、少なくとも音声コンテンツを含んでおり、
前記作成手段は、前記部分コンテンツ情報中における前記音声コンテンツの音量値の平均、前記部分コンテンツ情報中における前記音量値の増減の傾向、並びに前記部分コンテンツ情報の開始部分及び終了部分の夫々の前記音量値の差分の少なくとも一つを含む前記特徴量情報を作成することを特徴とする請求の範囲第９項に記載の情報記録装置。
【請求項１２】
前記全体コンテンツ情報は、少なくとも映像コンテンツを含んでおり、
前記作成手段は、前記部分コンテンツ情報中における前記映像コンテンツの輝度値の平均、前記部分コンテンツ情報中における前記輝度値の増減の傾向、並びに前記部分コンテンツ情報の開始部分及び終了部分の夫々の前記輝度値の差分の少なくとも一つを含む前記特徴量情報を作成することを特徴とする請求の範囲第９項に記載の情報記録装置。
【請求項１３】
前記第１記録手段は、前記作成される特徴量情報に基づき、前記全体コンテンツ情報のうち所望の前記特徴を有する前記部分コンテンツ情報を選択的に記録することを特徴とする請求の範囲第９項に記載の情報記録装置。
【請求項１４】
請求の範囲第１項に記載の情報記録媒体に前記全体コンテンツ情報を記録する情報記録方法であって、
前記全体コンテンツ情報を記録する第１記録工程と、
前記全体コンテンツ情報より前記特徴を抽出して前記特徴量情報を作成する作成工程と、
前記作成された特徴量情報を記録する第２記録工程と
を備えることを特徴とする情報記録方法。
【請求項１５】
請求の範囲第１項に記載の情報記録媒体に記録された前記全体コンテンツ情報を再生する情報再生装置であって、
前記特徴量情報を取得する取得手段と、
前記取得した特徴量情報に基づいて、前記全体コンテンツ情報のうち所望の前記特徴を有する前記部分コンテンツ情報を選択的に再生する再生手段と
を備えることを特徴とする情報再生装置。
【請求項１６】
前記全体コンテンツ情報は、少なくとも音声コンテンツを含んでおり、
前記取得手段は、前記特徴量情報として、前記部分コンテンツ情報中における前記音声コンテンツの音量値の平均、前記部分コンテンツ情報中における前記音量値の増減の傾向、並びに前記部分コンテンツ情報の開始部分及び終了部分の夫々の前記音量値の差分の少なくとも一つを取得することを特徴とする請求の範囲第１５項に記載の情報再生装置。
【請求項１７】
前記全体コンテンツ情報は、少なくとも映像コンテンツを含んでおり、
前記取得手段は、前記特徴量情報として、前記部分コンテンツ情報中における前記映像コンテンツの輝度値の平均、前記部分コンテンツ情報中における前記輝度値の増減の傾向、並びに前記部分コンテンツ情報の開始部分及び終了部分の夫々の前記輝度値の差分の少なくとも一つを取得することを特徴とする請求の範囲第１５項に記載の情報再生装置。
【請求項１８】
前記所望の特徴を設定する設定手段を更に備えることを特徴とする請求の範囲第１５項に記載の情報再生装置。
【請求項１９】
請求の範囲第１項に記載の情報記録媒体に記録された前記全体コンテンツ情報を再生する情報再生方法であって、
前記特徴量情報を取得する取得工程と、
前記取得した特徴量情報に基づいて、前記全体コンテンツ情報のうち所望の特徴を有する前記部分コンテンツ情報を選択的に再生する再生工程と
を備えることを特徴とする情報再生方法。
【請求項２０】
請求の範囲第９項に記載の情報記録装置に備えられたコンピュータを制御する記録制御用のコンピュータプログラムであって、該コンピュータを、前記第１記録手段、前記作成手段及び前記第２記録手段のうち少なくとも一部として機能させることを特徴とするコンピュータプログラム。
【請求項２１】
請求の範囲第１５項に記載の情報再生装置に備えられたコンピュータを制御する再生制御用のコンピュータプログラムであって、該コンピュータを、前記取得手段及び前記再生手段のうち少なくとも一部として機能させることを特徴とするコンピュータプログラム。
【発明の詳細な説明】
【技術分野】
【０００１】
本発明は、例えばＤＶＤ等の情報記録媒体、例えばＤＶＤレコーダ等の情報記録装置及び方法、例えばＤＶＤプレーヤ等の情報再生装置及び方法、並びにコンピュータをこのような情報記録装置又は情報再生装置として機能させるコンピュータプログラムの技術分野に関する。
【背景技術】
【０００２】
近年、映画番組やテレビ番組等の映像コンテンツ（音声コンテンツ）を録画したり再生したりするＤＶＤレコーダ或いはハードディスクレコーダ等が普及している。このようなレコーダにおいては、例えばハイライトシーンのみの再生を行ったり、或いはＣＭ部分を自動的にカットして録画・再生する機能を有しているものもある。【０００３】
例えばハイライトシーンのみの再生では、特許文献１に示すように、音声レベルが比較的高い再生区間を示す情報を抽出し、該再生区間の映像コンテンツ等の再生を行う構成が一具体例として挙げられる。また、例えばＣＭを自動的にカットする録画・再生においては、ステレオ音声であるか又はモノラル音声であるか、或いはステレオ音声であるか又はニヶ国語音声であるかに応じて、ステレオ音声に相当するＣＭ部分を自動的にカットする構成が一具体例として挙げられる。他にも、レコーダとは別に設けるサーバから送信される情報に基づいてハイライトシーンの検出を行ったり或いはＣＭ部分を自動的にカットする構成が提案されている。【０００４】
【特許文献１】特開２００３−８７７２８号公報
【発明の開示】
【発明が解決しようとする課題】
【０００５】
しかしながら、上述した構成によれば、例えば音声レベルが大きな区間等のように予め定められた区間のみを再生することができるにとどまっており、個々のユーザが望むような多種多様な再生が行えるまでには至っていない。またＣＭカットにおいても、再生されるコンテンツをリアルタイムで解析する必要があり、レコーダ等における処理負荷が増加するという技術的な問題点を有している。【０００６】
本発明は、例えば上述した従来の問題点に鑑みなされたものであり、例えば様々な再生等の態様を実現することを可能とならしめる情報記録媒体、情報記録装置及び方法、情報再生装置及び方法並びにコンピュータをこのような情報記録装置又は情報再生装置として機能させるコンピュータプログラムを提供することを課題とする。
【課題を解決するための手段】
【０００７】
（情報記録媒体）
本発明の情報記録媒体は上記課題を解決するために、全体コンテンツ情報と、前記全体コンテンツ情報の一部である少なくとも一つの部分コンテンツ情報が示すコンテンツ内容の特徴を示す特徴量情報とが記録されている。【０００８】
本発明の情報記録媒体によれば、例えばテレビ番組や映画番組等を含む全体コンテンツ情報が記録されているため、ユーザは当該全体コンテンツ情報を視聴することができる。【０００９】
本発明では特に、全体コンテンツ情報の一部に相当する部分コンテンツ情報の特徴を示す特徴量情報が更に記録されている。特徴量情報は、部分コンテンツ情報のコンテンツ内容（例えば、その部分コンテンツ情報が示す映像や音声等）が有している特徴を示している。この特徴として、例えば映像の輝度、色度、明度、彩度、色相、ＲＧＢ成分、記録されている形式（例えば、ビットマップ形式やＪＰＥＧ形式等）、圧縮率等やこれらの変化の態様等を示す特徴や、或いは例えば音声の音量、音域、音階、音質等やこれらの変化の態様等の特徴が一具体例として挙げられる。【００１０】
そして、全体コンテンツ情報の再生の際に、特徴量情報を参照しながら所望の特徴を有する部分コンテンツ情報を選択的に再生することが可能となる。具体的には、音声が相対的に大きな部分コンテンツ情報を選択的に再生したり、或いは映像が相対的に明るい部分コンテンツ情報を選択的に再生したりすることができる。そして、例えば所望の特徴を適宜設定すれば、予め定められた再生動作（例えば、ハイライトシーンのみの選択再生やＣＭカット等）に限定されず、多種多様な再生動作を実現することができる。【００１１】
更に、予め特徴量情報が情報記録媒体に記録されているため、全体コンテンツ情報の再生と並行して当該全体コンテンツ情報の特徴を解析・抽出する処理を行う必要がない。従って、上述の先行技術文献に開示されている構成と比較して、比較的低負荷で多種多様な再生動作を実現することが可能となる。【００１２】
以上の結果、本発明の情報記録媒体によれば、様々な再生等の態様を比較的容易に且つ低負荷で実現することが可能となる。【００１３】
本発明の情報記録媒体の一の態様は、前記全体コンテンツ情報は、複数の部分コンテンツ情報に細分化されており、前記特徴量情報は、前記複数の部分コンテンツ情報の夫々の前記特徴を示す。【００１４】
この態様によれば、全体コンテンツ情報の全体が複数の部分コンテンツ情報に細分化されており、該細分化された複数の部分コンテンツ情報のうち所望の特徴を有する部分コンテンツ情報を選択的に再生することが可能となる。【００１５】
尚、全体コンテンツ情報の全体を細分化することに代えて、全体コンテンツ情報の一部を複数の部分コンテンツ情報に細分化してもよい。【００１６】
本発明の情報記録媒体の他の態様は、前記部分コンテンツ情報の大きさは、前記全体コンテンツ情報を記録する際の最小ユニット単位（例えば、後述のＶＯＢＵ）の大きさである。【００１７】
この態様によれば、全体コンテンツ情報が記録されるフォーマットに合わせて好適に特徴量情報を記録することができる。また、最小ユニット単位毎の特徴を示す特徴量情報が記録されるため、より細かい単位で選択された部分コンテンツ情報の選択的な再生動作を実現することが可能となる。【００１８】
本発明の情報記録媒体の他の態様は、前記全体コンテンツ情報は、少なくとも音声コンテンツを含んでおり、前記特徴量情報は、前記部分コンテンツ情報中における前記音声コンテンツの音量値の平均、前記部分コンテンツ情報中における前記音量値の増減の傾向、並びに前記部分コンテンツ情報の開始部分及び終了部分の夫々の前記音量値の差分の少なくとも一つを含む。【００１９】
この態様によれば、これらの特徴量情報を用いて、後述の如く多種多様な再生動作を実現することが可能となる。尚、音量値に限定されることなく、例えば音質や音階等の他の特徴に関する平均や増減の傾向や差分或いは当該他の特徴に対応する各種パラメータ等を含んでいてもよいことはいうまでもない。【００２０】
本発明の情報記録媒体の他の態様は、前記全体コンテンツ情報は、少なくとも映像コンテンツを含んでおり、前記特徴量情報は、前記部分コンテンツ情報中における前記映像コンテンツの輝度値の平均、前記部分コンテンツ情報中における前記輝度値の増減の傾向、並びに前記部分コンテンツ情報の開始部分及び終了部分の夫々の前記輝度値の差分の少なくとも一つを含む。【００２１】
この態様によれば、これらの特徴量情報を用いて、後述の如く多種多様な再生動作を実現することが可能となる。尚、音量値に限定されることなく、例えば彩度や色相等の他の特徴に関する平均や増減の傾向や差分或いは当該他の特徴に対応する各種パラメータ等を含んでいてもよいことはいうまでもない。【００２２】
本発明の情報記録媒体の他の態様は、前記全体コンテンツ情報は、少なくとも音声コンテンツを含んでおり、前記特徴量情報は、前記全体コンテンツ情報の全再生時刻にわたる前記音声コンテンツの音量値の変化を示す音量変化情報（例えば、音量値の変化を示すグラフや関数や表等）を含む。【００２３】
この態様によれば、これらの特徴量情報を用いて、後述の如く多種多様な再生動作を実現することが可能となる。尚、音量値に限定されることなく、例えば音質や音階等の他の特徴の変化を示す変化情報を含んでいてもよいことはいうまでもない。【００２４】
本発明の情報記録媒体の他の態様は、前記全体コンテンツ情報は、少なくとも映像コンテンツを含んでおり、前記特徴量情報は、前記全体コンテンツ情報の全再生時刻にわたる前記映像コンテンツの輝度値の変化を示す輝度変化情報を含むである。【００２５】
この態様によれば、これらの特徴量情報を用いて、後述の如く多種多様な再生動作を実現することが可能となる。尚、輝度値に限定されることなく、例えば彩度や色相等の他の特徴の変化を示す変化情報を含んでいてもよいことはいうまでもない。【００２６】
本発明の情報記録媒体の他の態様は、前記部分コンテンツ情報に、当該部分コンテンツ情報の前記特徴を示す前記特徴量情報が含まれるように、前記特徴量情報が記録される。【００２７】
この態様によれば、一の部分コンテンツ情報は、この一の部分コンテンツ情報自身の特徴を示す特徴量情報が含まれて記録され、また他の部分コンテンツ情報は、この他の部分コンテンツ情報自身の特徴を示す特徴量情報が含まれて記録される。このため、全体コンテンツ情報（或いは、一の部分コンテンツ情報）を再生しながら、並行して該全体コンテンツ情報（或いは、一の部分コンテンツ情報）に関する特徴量情報を参照することができる。従って、特徴量情報の参照のために、全体コンテンツ情報が記録されている記録領域から離れた記録領域へアクセスする必要がなくなり、効率的な再生動作を実現することができる。【００２８】
（情報記録装置）
本発明の情報記録装置は上記課題を解決するために、上述した本発明の情報記録媒体（但し、その各種態様を含む）に前記全体コンテンツ情報を記録する情報記録装置であって、前記全体コンテンツ情報を記録する第１記録手段と、前記全体コンテンツ情報より前記特徴を取得して前記特徴量情報を作成する作成手段と、前記作成された特徴量情報を記録する第２記録手段とを備える。【００２９】
本発明の情報記録装置によれば、第１記録手段の動作により全体コンテンツ情報を情報記録媒体に記録することができる。また、作成手段の動作により、特徴量情報を作成することができる。作成手段は、第１記録手段により記録される全体コンテンツ情報を取得・解析することで、少なくとも１つの部分コンテンツ情報のコンテンツ内容が有する特徴を抽出し、特徴量情報を作成する。そして、作成手段により作成された特徴量情報は、第２記録手段の動作により情報記録媒体に記録される。【００３０】
以上の結果、本発明の情報記録装置によれば、全体コンテンツ情報と特徴量情報を好適に記録することができる。【００３１】
尚、上述した本発明の情報記録媒体における各種態様に対応して、本発明の情報記録装置も各種態様を採ることが可能である。【００３２】
本発明の情報記録装置の一の態様は、前記第１記録手段は、前記部分コンテンツ情報を記録することで前記全体コンテンツ情報を記録し、前記第２記録手段は、前記部分コンテンツ情報に、当該部分コンテンツ情報の前記特徴を示す前記特徴量情報が含まれるように前記特徴量情報を記録する。【００３３】
この態様によれば、一の部分コンテンツ情報は、この一の部分コンテンツ情報自身の特徴を示す特徴量情報が含まれて記録され、また他の部分コンテンツ情報は、この他の部分コンテンツ情報自身の特徴を示す特徴量情報が含まれて記録される。このため、後述の再生動作の際に、全体コンテンツ情報（或いは、一の部分コンテンツ情報）を再生しながら、並行して該全体コンテンツ情報（或いは、一の部分コンテンツ情報）に関する特徴量情報を参照することができる。従って、特徴量情報の参照のために、全体コンテンツ情報が記録されている記録領域から離れた記録領域へアクセスする必要がなくなり、効率的な再生動作を実現することができる。【００３４】
本発明の情報記録装置の他の態様は、前記全体コンテンツ情報は、少なくとも音声コンテンツを含んでおり、前記作成手段は、前記部分コンテンツ情報中における前記音声コンテンツの音量値の平均、前記部分コンテンツ情報中における前記音量値の増減の傾向、並びに前記部分コンテンツ情報の開始部分及び終了部分の夫々の前記音量値の差分の少なくとも一つを含む前記特徴量情報を作成する。【００３５】
この態様によれば、作成手段により作成される特徴量情報を用いて、後述の如く多種多様な再生動作を実現することが可能となる。【００３６】
本発明の情報記録装置の他の態様は、前記全体コンテンツ情報は、少なくとも映像コンテンツを含んでおり、前記作成手段は、前記部分コンテンツ情報中における前記映像コンテンツの輝度値の平均、前記部分コンテンツ情報中における前記輝度値の増減の傾向、並びに前記部分コンテンツ情報の開始部分及び終了部分の夫々の前記輝度値の差分の少なくとも一つを含む前記特徴量情報を作成する。【００３７】
この態様によれば、作成手段により作成される特徴量情報を用いて、後述の如く多種多様な再生動作を実現することが可能となる。【００３８】
本発明の情報記録装置の他の態様は、前記第１記録手段は、前記作成される特徴量情報に基づき、前記全体コンテンツ情報のうち所望の前記特徴を有する前記部分コンテンツ情報を選択的に記録する。【００３９】
この態様によれば、前記全体コンテンツ情報を記録することに加えて又は代えて、全体コンテンツ情報から所望の特徴を有する一又は複数の部分コンテンツ情報を予め選択して情報記録媒体に記録することができる。これにより、再生動作の際に特徴量情報を参照しながら再生動作を行なわなくとも、所望の特徴を有する部分コンテンツ情報を再生することが可能となる。従って、再生動作の負荷をより一層低減しつつも、多種多様な再生動作を実現することが可能となる。【００４０】
（情報記録方法）
本発明の情報記録方法は上記課題を解決するために、上述した本発明の情報記録媒体（但し、その各種態様を含む）に前記全体コンテンツ情報を記録する情報記録方法であって、前記全体コンテンツ情報を記録する第１記録工程と、前記全体コンテンツ情報より前記特徴を取得して前記特徴量情報を作成する作成工程と、前記作成された特徴量情報を記録する第２記録工程とを備える。【００４１】
本発明の情報記録方法によれば、上述した本発明の情報記録装置と同様の各種利益を享受することができる。【００４２】
尚、上述した本発明の情報記録装置における各種態様に対応して、本発明の情報記録方法も各種態様を採ることが可能である。【００４３】
（情報再生装置）
本発明の情報再生装置は上記課題を解決するために、上述した本発明の情報記録媒体（但し、その各種態様を含む）に記録された前記全体コンテンツ情報を再生する情報再生装置であって、前記特徴量情報を取得する取得手段と、前記取得した特徴量情報に基づいて、前記全体コンテンツ情報のうち所望の前記特徴を有する前記部分コンテンツ情報を選択的に再生する再生手段とを備える。【００４４】
本発明の情報再生装置によれば、取得手段の動作により特徴量情報を取得することができる。そして、この取得した特徴量情報に基づいて、再生手段は、全体コンテンツ情報のうち所望の特徴を有する部分コンテンツ情報を選択的に再生する。そして、再生対象となる部分コンテンツ情報を選択する基準となる「所望の特徴」を適宜変更することで、多種多様な再生動作を実現することが可能となる。また、情報再生装置側において、全体コンテンツ情報を解析してその特徴を抽出する必要はなく、特徴量情報を参照することで、比較的容易に特徴を抽出することができる。従って、全体コンテンツ情報（或いは、部分コンテンツ情報）の再生動作に対して負荷をかけることなく、特徴量情報に基づいて多種多様な再生動作を実現することが可能となる。【００４５】
以上の結果、本発明の情報再生装置によれば、様々な再生等の態様を比較的容易に実現することが可能となる。【００４６】
尚、上述した本発明の情報記録媒体における各種態様に対応して、本発明の情報再生装置も各種態様を採ることが可能である。【００４７】
本発明の情報再生装置の一の態様は、前記全体コンテンツ情報は、少なくとも音声コンテンツを含んでおり、前記取得手段は、前記特徴量情報として、前記部分コンテンツ情報中における前記音声コンテンツの音量値の平均、前記部分コンテンツ情報中における前記音量値の増減の傾向、並びに前記部分コンテンツ情報の開始部分及び終了部分の夫々の前記音量値の差分の少なくとも一つを取得する。【００４８】
この態様によれば、取得手段により取得される特徴量情報を用いて、後述の如く多種多様な再生動作を実現することが可能となる。【００４９】
本発明の情報再生装置の他の態様は、前記全体コンテンツ情報は、少なくとも映像コンテンツを含んでおり、前記取得手段は、前記特徴量情報として、前記部分コンテンツ情報中における前記映像コンテンツの輝度値の平均、前記部分コンテンツ情報中における前記輝度値の増減の傾向、並びに前記部分コンテンツ情報の開始部分及び終了部分の夫々の前記輝度値の差分の少なくとも一つを取得する。【００５０】
この態様によれば、取得手段により取得される特徴量情報を用いて、後述の如く多種多様な再生動作を実現することが可能となる。【００５１】
本発明の情報再生装置の他の態様は、前記所望の特徴を設定する設定手段を更に備える。【００５２】
この態様によれば、設定手段により再生対象の部分コンテンツ情報を選択する基準となる「所望の特徴」を任意に設定することが可能となる。例えば外部入力手段等を含む設定手段の動作によりユーザ自身が「所望の特徴」を設定することができる。或いは、例えばＣＰＵ等を含む設定手段の動作により、自動的に「所望の特徴」を設定するように構成してもよい。従って、より一層多種多様な再生動作を或いはユーザが所望する多種多様な再生動作を好適に実現することが可能となる。【００５３】
（情報再生方法）
本発明の情報再生方法は上記課題を解決するために、上述の本発明の情報記録媒体（但し、その各種態様を含む）に記録された前記全体コンテンツ情報を再生する情報再生方法であって、前記特徴量情報を取得する取得工程と、前記取得した特徴量情報に基づいて、前記全体コンテンツ情報のうち所望の特徴を有する前記部分コンテンツ情報を選択的に再生する再生工程とを備える。【００５４】
本発明の情報再生方法によれば、上述した本発明の情報再生装置と同様の各種利益を享受することができる。【００５５】
尚、上述した本発明の情報再生装置における各種態様に対応して、本発明に係る情報再生方法も各種態様を採ることが可能である。【００５６】
（コンピュータプログラム）
本発明に係る第１コンピュータプログラムは上記課題を解決するために、コンピュータを上述した情報記録装置（但し、その各種形態も含む）として機能させる。より具体的には、コンピュータを上述した情報記録装置における前記第１記録手段、前記作成手段及び前記第２記録手段のうち少なくとも一部として機能させる。また、本発明に係る第２コンピュータプログラムは、コンピュータを上述した情報再生装置（但し、その各種形態も含む）として機能させる。より具体的には、コンピュータを上述した情報再生装置における前記取得手段及び前記再生手段のうち少なくとも一部として機能させる。【００５７】
本発明に係る第１又は第２コンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置又は情報再生装置を比較的簡単に実現できる。【００５８】
尚、上述した本発明の情報記録装置又は情報再生装置における各種態様に対応して、本発明の第１又は第２コンピュータプログラムも各種態様を採ることが可能である。【００５９】
コンピュータ読取可能な媒体内の第１コンピュータプログラム製品は上記課題を解決するために、上述した情報記録装置（但し、その各種態様を含む）に備えられたコンピュータにより実行可能なプログラム命令を明白に具現化し、該コンピュータを、前記第１記録手段、前記作成手段及び前記第２記録手段のうち少なくとも一部として機能させる。【００６０】
コンピュータ読取可能な媒体内の第２コンピュータプログラム製品は上記課題を解決するために、上述した情報再生装置（但し、その各種態様を含む）に備えられたコンピュータにより実行可能なプログラム命令を明白に具現化し、該コンピュータを、前記取得手段及び前記再生手段のうち少なくとも一部として機能させる。【００６１】
本発明の第１又は第２コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置又は情報再生装置を比較的容易に実施可能となる。更に具体的には、当該コンピュータプログラム製品は、上述した本発明の情報記録装置又は情報再生装置として機能させるコンピュータ読取可能なコード（或いはコンピュータ読取可能な命令）から構成されてよい。【００６２】
本発明のこのような作用及び他の利得は次に説明する実施例から明らかにされる。【００６３】
以上説明したように、本発明の情報記録媒体によれば、全体コンテンツ情報と特徴量情報とが記録されている。従って、特徴量情報に基づいて全体コンテンツ情報を再生すれば、多種多様な再生動作を比較的容易に実現することが可能となる。【００６４】
また、本発明の情報記録装置又は方法によれば、第１記録手段、作成手段及び第２記録手段、又は第１記録工程、作成工程及び第２記録工程を備えている。従って、本発明に係る情報記録媒体に対して全体コンテンツ情報及び特徴量情報を好適に記録することが可能となる。【００６５】
また、本発明の情報再生装置又は方法によれば、取得手段及び再生手段、又は取得工程及び再生工程を備える。従って、従って、特徴量情報に基づいて全体コンテンツ情報を再生すれば、多種多様な再生動作を比較的容易に実現することが可能となる。
【図面の簡単な説明】
【００６６】
【図１】本発明の情報記録媒体に係る実施例の一例たる光ディスクの基本構造を示し、上側部分は複数のエリアを有する光ディスクの概略平面図であり、これ
【図２】本実施例に係る情報記録媒体の具体的なデータ構造（特に、音声特徴量情報を含むデータ構造）を概念的に示すデータ構造図である。
【図３】ＶＯＢＵとＧＯＰとオーディオフレームとの関係を概念的に示す説明図である。
【図４】音声特徴量情報に基づいて作成される、再生時間に対する音量の変化を示すグラフである。
【図５】多種多様な再生動作の態様の一具体例を概念的に示す表である。
【図６】音声特徴量情報に基づき再生される再生区間の一の例を示すグラフである。
【図７】音声特徴量情報に基づき再生される再生区間の他の例を示すグラフである。
【図８】音声特徴量情報に基づき再生される再生区間の他の例を示すグラフである。
【図９】音声特徴量情報に基づき再生される再生区間の他の例を示すグラフである。
【図１０】音声特徴量情報に基づき再生される再生区間の他の例を示すグラフである。
【図１１】本実施例に係る情報記録媒体の具体的なデータ構造（特に、映像特徴量情報を含むデータ構造）を概念的に示すデータ構造図である。
【図１２】本発明の情報記録装置及び情報再生装置に係る実施例の基本構成を概念的に示すブロック図である。
【図１３】本実施例に係る情報記録再生装置の記録動作全体の流れを概念的に説明するフローチャートである。
【図１４】本実施例に係る情報記録再生装置の再生動作（Ｎｏ．１）全体の流れを概念的示すフローチャートである。
【図１５】再生動作（Ｎｏ．１）により再生されるコンテンツデータの再生区間を示すグラフである。
【図１６】本実施例に係る情報記録再生装置の再生動作（Ｎｏ．２）全体の流れを概念的示すフローチャートである。
【図１７】再生動作（Ｎｏ．２）により再生されるコンテンツデータの再生区間を示すグラフである。
【図１８】本実施例に係る情報記録再生装置の再生動作（Ｎｏ．３）全体の流れを概念的示すフローチャートである。
【図１９】再生動作（Ｎｏ．３）により再生されるコンテンツデータの再生区間を示すグラフである。
【符号の説明】
【００６７】
１００  光ディスク
１１０  ＶＯＢＵ
１２１  ＲＤＩ
１３１  ＭＮＦＩ
１４１  ＭＮＦＩ＿ＩＤ
１４２  ＭＮＦＩ＿ＤＴ
１５０  音声特徴量情報
１５１  音量傾向フラグ
１５２  音量差分値
１５３  音量平均値
１６０  映像特徴量情報
１６１  輝度傾向フラグ
１６２  輝度差分値
１６３  輝度平均値
３００  情報記録装置
３３０  ＡＴＡ／ＡＴＡＰＩコントローラ
３４１  ＣＰＵ
【発明を実施するための最良の形態】
【００６８】
以下、本発明を実施するための最良の形態について実施例毎に順に図面に基づいて説明する。【００６９】
以下、本発明の実施例を図面に基づいて説明する。【００７０】
（情報記録媒体の実施例）
先ず図１から図１１を参照して、本発明の情報記録媒体に係る実施例について説明する。【００７１】
（１）外観
初めに、図１を参照して、本発明の情報記録媒体に係る実施例の外観について説明する。本実施例では、情報記録媒体として光ディスクを用いて説明を進める。ここに、図１は、上側に複数のエリアを有する光ディスクの構造を概略平面図で示すと共に、下側にその径方向におけるエリア構造を概念図で対応付けて示すものである。【００７２】
図１に示すように、光ディスク１００は、ＤＶＤと同じく直径１２ｃｍ程度のディスク本体上の記録面に、センターホール１０２を中心として内周から外周に向けて、リードインエリア１０４、データ記録エリア１０６及びリードアウトエリア１０８が設けられている。そして、各エリアには、例えば、センターホール１０２を中心にスパイラル状或いは同心円状に、グルーブトラック及びランドトラックが交互に設けられており、このグルーブトラックはウォブリングされてもよいし、これらのうち一方又は両方のトラックにプリピットが形成されていてもよい。尚、本発明は、このような三つのエリアを有する光ディスクには特に限定されない。例えば、リードインエリア１０４やリードアウトエリア１０８が存在せずとも、以下に説明するファイル構造は構築可能である。また、リードインエリア１０４やリードアウトエリア１０８は更に細分化された構成であってもよい。【００７３】
また、光ディスク１００は、例えばエンボスピットや記録マーク等により予めデータが記録された再生専用型の光ディスクであってもよいし、或いは記録（書き込み）が複数回又は１回のみ可能な、光磁気方式、相変化方式等の各種記録方式で記録可能な記録可能型の光ディスクであってもよい。【００７４】
（２）具体的データ構造
続いて図２を参照して、本実施例に係る情報記録媒体の具体的なデータ構造について説明する。ここに、図２は、本実施例に係る情報記録媒体の具体的なデータ構造（特に、音声特徴量情報１５０を含むデータ構造）を概念的に示すデータ構造図である。尚、以下のデータ構造の説明においては、光ディスク１００の一具体例たるＤＶＤ上に構成されるデータ構造を用いて説明する。【００７５】
例えば、光ディスク１００の一具体例たるＤＶＤにおいては、ビデオコンテンツやオーディオコンテンツ等を含むコンテンツデータが、本発明の「部分コンテンツ情報」の一具体例に相当するＶＯＢＵ（Video Object Unit）１１０の単位で記録されている。このＶＯＢＵ１１０が複数集合することで１つのタイトル（即ち、本発明の「全体コンテンツ情報」に相当するＶＯＢ（Video Object）であって、具体的には１つの映画番組やテレビ番組等）を構成する。【００７６】
図２に示すように、ＶＯＢＵ１１０は、ＲＤＩ（Real-time Data Information）１２１と、複数のビデオパック（Ｖ＿ＰＣＫ：Video Pack）と、複数のオーディオパック（Ａ＿ＰＣＫ：Audio Pack）とを有している。ビデオパックとオーディオパックとは、コンテンツデータが含むビデオコンテンツやオーディオコンテンツが時分割多重されて構成される（パック化される）単位であり、これらのビデオパックとオーディオパックとが再生時間軸に沿って再構築されることで、１つのビデオコンテンツやオーディオコンテンツが再生される。この他に、図示しないナビゲーションパックを有していたり、またサブピクチャパック（Ｓ＿ＰＣＫ：Sub-picture Pack）を有していてもよい。【００７７】
また、１つのＶＯＢＵ１１０に含まれるビデオパックとオーディオパックとは、ＭＰＥＧ（Moving Picture Experts Group）における１つのＧＯＰ（Group Of Picture）に含まれるビデオフレームとオーディオフレームとの夫々に対応している。即ち、１つのＧＯＰに含まれるビデオフレームがパック化されることで、１つのＶＯＢＵ１１０内のビデオパックとなる。また、１つのＧＯＰに含まれるオーディオフレームがパック化されることで、１つのＶＯＢＵ１１０内のオーディオパックとなる。【００７８】
ここで、ＶＯＢＵ１１０とＧＯＰとの関係を、図３を用いて具体的に説明する。ここに、図３は、ＶＯＢＵ１１０とＧＯＰとオーディオフレームとの関係を概念的に示す説明図である。図３に示すように、１つのＧＯＰと１つのＶＯＢＵ１１０とが対応しており、１つのＧＯＰには例えば１０個程度のオーディオフレームが含まれている。また、１つのＶＯＢＵ１１０は、概ね０．５秒程度の再生時間に対応している。【００７９】
再び図２において、ＲＤＩ１２１は、ＶＯＢＵ１１０の先頭アドレスに配置されており、パックヘッダ（Ｐａｃｋ＿ｈｅａｄｅｒ）とシステムヘッダ（Ｓｙｓｔｅｍ＿ｈｅａｄｅｒ）と、ＲＤＩ１２１の例えば５９バイト目から始まるＭＮＦＩ（Manufacturer's Information）１３１とを有している。【００８０】
ＭＮＦＩ１３１は、当該光ディスク１００の製造者毎に固有の或いは一意に定まる識別情報を記録するためのＭＮＦ＿ＩＤ（Manufacturer's ID）１４１と、当該光ディスク１００の製造者毎に固有の各種情報を記録するためのＭＮＦＩ＿ＤＴ（Manufacture's Data）１４１と、リザーブドエリアを有している。具体的には、ＭＮＦＩ１３１の例えば最初の３バイトの記録領域をリザーブドエリアが占めており、ＭＮＦＩ＿ＤＴ１４１は例えば１９４４バイトの大きさを有している。【００８１】
本実施例では特に、ＭＮＦＩ＿ＤＴ１４２は、音声特徴量情報１５０として、音量傾向フラグ１５１、音量差分値１５２及び音量平均値１５３（更には、リザーブドエリア１５４）を有している。【００８２】
音量傾向フラグ１５１は、１つのＧＯＰ（即ち、１つのＶＯＢＵ１１０）中に含まれるオーディオフレームが示すオーディオコンテンツの音量値の変化の傾向を示す情報であって、特に当該音量傾向フラグ１５１自身が含まれるＶＯＢＵ１１０に対応するＧＯＰ中の音量の変化の傾向を示す情報である。即ち、１つのＧＯＰ中に含まれるオーディオフレームが示すオーディオコンテンツの音量値を時間軸に対して微分した場合に、その微分値（即ち、グラフの傾きの度合い）を示す情報である。そして、音量傾向フラグ１５１は、例えば２ビットの大きさを有している。例えば、１つのＧＯＰ中において音量の変化がない（即ち、微分値が概ね“０”となる）場合には、“００ｂ”なるフラグが記録される。例えば、１つのＧＯＰ中において音量が増加傾向にある（即ち、微分値が正の数値を有する）場合には、“０１ｂ”なるフラグが記録される。例えば、１つのＧＯＰ中において音量が減少傾向にある（即ち、微分値が負の数値を有する）場合には、“１０ｂ”なるフラグが記録される。また、将来、更に音量の変化の傾向を細分化する場合には、上記とは他の傾向を示す場合に、“１１ｂ”なるフラグを記録するように構成してもよい。【００８３】
音量差分値１５２は、１つのＧＯＰ中における最初のオーディオフレームが示すオーディオコンテンツの音量値と最後のオーディオフレームが示すオーディオコンテンツの音量値との差分値を示す情報であって、例えば８ビットの大きさを有している。特に、当該音量差分値１５２自身が含まれるＶＯＢＵ１１０に対応するＧＯＰ中の差分値を示す情報である。【００８４】
音量平均値１５３は、１つのＧＯＰ中の全てのオーディオフレームが示すオーディオコンテンツの音量値の平均値を示す情報であって、例えば８ビットの大きさを有している。特に、当該音量平均値１５３自身が含まれるＶＯＢＵ１１０に対応するＧＯＰ中の平均値を示す情報である。【００８５】
リザーブドエリア１５４は、オーディオコンテンツの他の特徴を示す各種情報を記録するための予備的な記録領域である。例えば、他の特徴としての音質、音域、音階、音源、音色、音素、音程、音律、エンコーディング方式、圧縮方式等を示す各種情報を記録するように構成してもよい。【００８６】
このようなＭＮＦＩ＿ＤＴ１４２に記録される音声特徴量情報１５０に基づいて、図４に示すように、再生時間軸に対する音量の変化を示すグラフを作成することも可能である。尚、図２において示した音量傾向フラグ１５１、音量差分値１５２及び音量平均値１５３を記録することに代えて又は加えて、図４に示すグラフ（すなわ値、音量の変化を示すグラフ）を直接的に示す情報を音声特徴量情報１５０としてＭＮＦ＿ＤＴ１４２に記録するように構成してもよい。【００８７】
そして、図２により示される音声特徴量情報１５０や図４のグラフにより示される音声特徴量情報１５０等に基づいてコンテンツデータの再生等を行うことで、多種多様な再生動作の態様を実現することが可能となる。この多種多様な再生動作の態様について図５から図１０を参照しながら説明する。ここに、図５は、多種多様な再生動作の態様の一具体例を概念的に示す表であり、図６から図１０は夫々、音声特徴量情報に基づき再生される再生区間を示すグラフである。【００８８】
図５の表の２行目に示すように、コンテンツデータのうち例えば盛り上がっている一部のコンテンツデータを選択的に再生することが可能である。即ち、例えばアクション映画等であれば、爆音轟く派手なアクションやカーチェイス等の盛り上がっているシーン（いわゆるハイライトシーン）を選択的に再生することが可能である。このような再生を行うためには、例えば音量平均値１５３がある上限閾値以上の一部のコンテンツデータ（即ち、一部のＶＯＢＵ１１０）を抽出すればよい。その結果、図４のグラフが示す音声特徴量情報１５０を含むコンテンツデータであれば、図６のグラフのうち太線部分にて示すように、区間Ｂの一部、区間Ｃ及び区間Ｄの一部に対応するコンテンツデータが選択的に再生される。尚、この再生動作については、後に詳述する（図１４及び図１５参照）
或いは、図５の表の３行目に示すように、コンテンツデータのうちまさに今盛り上がろうとしている一部のコンテンツデータを選択的に再生することも可能である。例えば、クライマックスに近づきつつあるシーンやハイライトシーンに近づきつつあるシーン等を選択的に再生することが可能である。このような再生を行うためには、例えば音量平均値１５３が増加傾向にある（或いは、音量傾向フラグ１５１が増加傾向を示している）一部のコンテンツデータを抽出すればよい。その結果、図４のグラフが示す音声特徴量情報１５０を含むコンテンツデータであれば、図７のグラフのうち太線部分にて示すように、区間Ｂ、区間Ｅ及び区間Ｇに対応するコンテンツデータが選択的に再生される。尚、この再生動作については、後に詳述する（図１６及び図１７参照）。【００８９】
或いは、図５の表の４行目に示すように、コンテンツデータのうち一度盛り下がってから再び盛り上がる一部のコンテンツデータを選択的に再生することも可能である。例えば、シーン転換部分等を選択的に再生することが可能である。このような再生を行うためには、例えば音量傾向フラグ１５１が当初減少傾向を示しており且つその後に増加傾向を示す一部の一部のコンテンツデータを抽出すればよい。その結果、図４のグラフが示す音声特徴量情報１５０を含むコンテンツデータであれば、図８のグラフのうち太線部分にて示すように、区間Ｄの一部、区間Ｅ、区間Ｆの一部及び区間Ｇに対応するコンテンツデータが選択的に再生される。【００９０】
或いは、図５の表の５行目に示すように、コンテンツデータのうち静かな一部のコンテンツデータを選択的に再生することも可能である。例えば、ハイライトシーン等を除くシーン等を選択的に再生することが可能である。このような再生を行うためには、例えば音量平均値１５３がある下限閾値以下の一部のコンテンツデータを抽出すればよい。その結果、図４のグラフが示す音声特徴量情報１５０を含むコンテンツデータであれば、図９のグラフのうち太線部分にて示すように、区間Ｄの一部、区間Ｅ、区間Ｆ及び区間Ｇの一部に対応するコンテンツデータが選択的に再生される。【００９１】
或いは、図５の表の６行目に示すように、コンテンツデータのうち突然変化が起こる一部のコンテンツデータを選択的に再生することも可能である。このような再生を行うためには、例えば音量差分値１５２がある閾値以上の一部のコンテンツデータを抽出すればよい。その結果、図４のグラフが示す音声特徴量情報１５０を含むコンテンツデータであれば、図１０に示すグラフのうち太線部分にて示すように、例えば音量差分値１５２がある閾値以上である区間Ｅに対応するコンテンツデータが選択的に再生される。【００９２】
このように、本実施例に係る情報記録媒体によれば、予め光ディスク１００に記録されている各種音声特徴量情報１５０（即ち、上述の音量傾向フラグ１５１、音量差分値１５２及び音量平均値１５３等）に基づいて、多種多様な再生動作を実現することができる。特に、予め音声特徴量情報１５０が光ディスクに記録されているため、再生されるコンテンツデータをリアルタイムに解析して、これらの音声特徴量情報１５０を抽出する必要がない。従って、比較的低負荷での多種多様な再生動作等を実現することができる。【００９３】
更には、再生動作を行なうたびに、どのような再生を行うかを適宜選択することができる。即ち、予め選択的に再生すべき区間が指定されているのではなく、音声特徴量情報１５０に基づいて後述の情報記録再生装置側において再生すべき区間を自由に選択することができるという大きな利点を有している。このため、予め定められた再生動作（例えば、ハイライトシーンの再生動作やＣＭ部分を自動的にカットする再生動作）と比較して、より一層多種多様な再生動作を実現することができるという大きな利点を有している。【００９４】
尚、コンテンツデータに含まれるオーディオコンテンツに限らずとも、図１１に示すように、ビデオコンテンツの輝度に関する特徴を示す映像特徴量情報１６０を有するように構成してもよい。ここに、図１１は、本実施例に係る情報記録媒体の具体的なデータ構造（特に、映像特徴量情報１６０を含むデータ構造）を概念的に示すデータ構造図である。即ち、上述の音量傾向フラグ１５１、音量差分値１５２及び音量平均値１５３等に加えて又は代えて、１つのＧＯＰ中に含まれるビデオフレームが示すビデオコンテンツの輝度値の変化の傾向を示す情報である輝度傾向フラグ１６１、１つのＧＯＰ中における最初のビデオフレームのビデオコンテンツと最後のビデオフレームのビデオコンテンツとの夫々の輝度値の差分値を示す情報である情報輝度差分値１６２、並びに１つのＧＯＰ中の全てのビデオフレームが示すビデオコンテンツの輝度値の平均値を示す情報である情報輝度平均値１６３を有するように構成してもよい。【００９５】
また輝度に限定されることなく、例えば、色度、明度、色相、彩度等に関する各種情報を示す映像特徴量情報１６０であってもよい。また、字幕等のサブピクチャコンテンツに関する特徴を示す特徴量情報を有するように構成してもよいし、或いはその他コンテンツデータに含まれる各種情報に関する特徴を示す特徴量情報を有するように構成してもよい。【００９６】
（情報記録再生装置の実施例）
続いて、図１２から図１９を参照して、本発明の情報記録装置及び情報再生装置に係る実施例について説明する。尚、以下の説明では、情報記録装置と情報再生装置との夫々の機能を有する情報記録再生装置を一具体例に挙げて説明する。【００９７】
（１）基本構成
先ず、図１２を参照して実施例に係る情報記録再生装置の基本構成について説明する。ここに、図１２は、本実施例に係る情報記録再生装置の基本構成を概念的に示すブロック図である。【００９８】
図１２に示すように、本実施例に係る情報記録再生装置３００は、チューナ３１１、ビデオエンコーダ３１２、オーディオエンコーダ３１３、ＶＯＢＵフォーマッタ３１４、ビデオデコーダ３２２、オーディオデコーダ３２３、デマルチプレクサ３２４、ＡＴＡ／ＡＴＡＰＩ（AT Attachment Packet Interface）コントローラ３３０、ＣＰＵ３４１、ＲＡＭ（Random Access Memory）３４２、ＲＯＭ（Read Only Memory）３４３及び操作ボタン３５０を備えている。【００９９】
チューナ３１１は、例えば放送されるテレビ番組や映画番組等のコンテンツデータを受信するための周波数同調を行う。また、受信すべきテレビ番組や映画番組等を選択（或いは、選局）可能に構成されている。そして、受信したコンテンツデータを、ビデオエンコーダ３１２及びオーディオエンコーダ３１３の夫々へ出力可能に構成されている。特に、受信したコンテンツデータのうちビデオコンテンツに関するデータをビデオエンコーダ３１２へ出力し、オーディオコンテンツに関するデータをオーディオエンコーダ３１３へ出力可能に構成されている。【０１００】
ビデオエンコーダ３１２は、チューナ３１１より出力されるビデオコンテンツに関するデータをエンコーディング可能に構成されている。即ち、ビデオストリーム（ＭＰＥＧのＥＳ（Elementary Stream））を生成可能に構成されている。生成されたビデオストリームは、ＶＯＢＵフォーマッタ３１４へ出力される。【０１０１】
オーディオエンコーダ３１３は、チューナ３１１より出力されるオーディオコンテンツに関するデータをエンコーディングして、例えばドルビーデジタルＡＣ−３（Audio Code 3）やＤＴＳ（Digital Theater System）やＬＰＣＭ（Liner Pulse Code Modulation）やＰＣＭ（Pulse Code Modulation）等の如きフォーマット形式のオーディオストリーム（ＭＰＥＧのＥＳ（Elementary Stream））を生成可能に構成されている。生成されたオーディオストリームは、ＶＯＢＵフォーマッタ３１４へ出力される。【０１０２】
ＶＯＢＵフォーマッタ３１４は、ビデオエンコーダ３１２より出力されるビデオストリームやオーディオエンコーダ３１３より出力されるオーディオストリームを、図２に示すＶＯＢＵ１１０の形式にフォーマット可能に構成される。即ち、ストリーム形式のＧＯＰを、ＶＯＢＵ１１０の形式に作り変え、ＲＤＩ１２１等の各種情報を付加可能に構成されている。本実施例では特に、ＣＰＵ３４１の制御の下に作成される音声特徴量情報１５０（即ち、音量傾向フラグ１５１、音量差分値１５２及び音量平均値１５３等）や映像特徴量情報１６０（即ち、輝度傾向フラグ１６１、輝度差分値１６２及び輝度平均値１６３等）等を付加可能に構成されている。【０１０３】
ビデオデコーダ３２１は、デマルチプレクサ３２３より出力されるビデオコンテンツに関するデータ（即ち、ストリーム）をデコーディング可能に構成されている。そして、デコーディングされたデータはビデオ出力端子へ出力され、該ビデオ出力端子に接続された各種ディスプレイにビデオ（映像）が表示される。【０１０４】
オーディオデコーダ３２２は、デマルチプレクサ３２３より出力されるオーディオコンテンツに関するデータ（即ち、ストリーム）をデコーディング可能に構成されている。そして、デコーディングされたデータはオーディオ出力端子へ出力され、該オーディオ出力端子に接続された各種スピーカーからオーディオ（音声）が出力される。【０１０５】
デマルチプレクサ３２３は、光ディスク１００から再生されるＭＰＥＧ−ＰＳ（プログラムストリーム）形式のコンテンツデータから、出力すべきビデオパックやオーディオパック（更には、サブピクチャパック等）を抽出し、ビデオデコーダ３２１やオーディオデコーダ３２２へ出力可能に構成されている。【０１０６】
ＡＴＡ／ＡＴＡＰＩコントローラ３３０は、本発明の「第１記録手段」、「第２記録手段」又は「再生手段」の一具体例に相当しており、光ディスク１００へデータを記録し又は光ディスク１００に記録されたデータを再生するための図示しない光ディスクドライブを制御可能に構成されており、特に、光ディスク１００への各種データの記録或いは再生を制御可能に構成されている。また、ＡＴＡ／ＡＴＡＰＩコントローラ３３０は、各種データの記録や再生の際には、例えばＣＰＲＭ等の規格に対応して、これら各種データの暗号化及び復号化を行う。【０１０７】
ＣＰＵ３４１は、当該情報記録再生装置３００全体（即ち、図１中実線にて囲まれる各種構成要件）の動作を制御可能に構成されている。即ち、情報記録再生装置１が備える各構成要素に対してシステムコマンドを出力することで、情報記録再生装置１全体の制御を行う。【０１０８】
ＲＡＭ３４２は、情報記録再生装置３００の動作に必要な各種データを一時的に記録可能に構成されている。【０１０９】
ＲＯＭ３４３は、例えばＣＰＵ３４１が動作するためのソフトウェアを記録可能に構成されている。【０１１０】
操作ボタン３５０は、本発明の「設定手段」の一具体例に相当しており、外部よりユーザの操作を入力可能に構成されている。尚、操作ボタン３５０に加えて又は代えて、例えばキーボード、マウス、タッチパネル、操作パネル、リモコン等の各種外部入力手段を備えるように構成してもよい。【０１１１】
尚、図１２に示す各種構成要素のうち、主としてチューナ３１１、ビデオエンコーダ３１２、オーディオエンコーダ３１３、ＶＯＢＵフォーマッタ３１４及びＡＴＡ／ＡＴＡＰＩコントローラ３３０により、本発明の「情報記録装置」の一具体例が構成される。他方、図１２に示す各種構成要素のうち、主としてビデオデコーダ３２１、オーディオデコーダ３２２、デマルチプレクサ３２３及びＡＴＡ／ＡＴＡＰＩコントローラ３３０により、本発明の「情報再生装置」の一具体例が構成される。【０１１２】
（２）動作原理
続いて、図１３から図１９を参照して、本実施例に係る情報記録再生装置３００の動作原理について説明する。【０１１３】
（２−１）記録動作
先ず、図１３を参照して、本実施例に係る情報記録再生装置３００の、コンテンツデータを記録する際の記録動作全体の流れについて説明する。ここに、図１３は、本実施例に係る情報記録再生装置１の記録動作全体の流れを概念的に説明するフローチャートである。【０１１４】
図１３に示すように、ＣＰＵ３４１の制御の下に、ビデオエンコーダ３１１の動作が開始される（ステップＳ１０１）。同様に、ＣＰＵ３４１の制御の下に、オーディオエンコーダ３１２の動作が開始される（ステップＳ１０２）。これにより、チューナ３１１において受信された各種テレビ番組や映画番組等のコンテンツデータからビデオストリーム及びオーディオストリームが生成される。【０１１５】
続いて、ＣＰＵ３４１の制御の下に、ＶＯＢＵフォーマッタ３１３の動作が開始される（ステップＳ１０３）。これにより、ビデオストリーム及びオーディオストリームがＶＯＢＵ１１０の形式にフォーマットされていく（ステップＳ１０４）。即ち、ビデオストリームに含まれるビデオフレームからビデオパックが生成され、オーディオストリームに含まれるオーディオフレームからオーディオパックが生成される。【０１１６】
このとき、ＣＰＵ３４１の制御の下に、１つのＧＯＰを構成するビデオフレームが取得されたか否かが判定される（ステップＳ１０５）。即ち、１つのＧＯＰを構成する一又は複数のビデオフレームから、１つのＶＯＢＵ１１０を構成する一又は複数のビデオパックが生成されたか否かが判定される。【０１１７】
この判定の結果、取得されていないと判定された場合（ステップＳ１０５：Ｎｏ）、ステップＳ１０４へ戻り、再びフォーマット動作が継続される。【０１１８】
他方、取得されていると判定された場合（ステップＳ１０５：Ｙｅｓ）、本発明の「作成手段」の一具体例たるＣＰＵ３４１の制御の下に、この１つのＧＯＰに対応する１つのＶＯＢＵ１１０に含まれるオーディオパック（オーディオコンテンツ）に関する音声特徴情報量１５０が作成される（ステップＳ１０６）。即ち、１つのＧＯＰに含まれるオーディオフレームに基づいて、上述した音量傾向フラグ１５１や音量差分値１５２や音量平均値１５３等が作成される。【０１１９】
続いて、ステップＳ１０６において作成された音声特徴量情報１５０を含めて１つのＶＯＢＵ１１０が構成される（ステップＳ１０７）。そして、ＡＴＡ／ＡＴＡＰＩコントローラ３３０の動作により、作成されたＶＯＢＵ１１０が光ディスク１００へ記録される（ステップＳ１０７）。【０１２０】
その後、ＣＰＵ３４１の制御の下に、記録動作が停止されるか否かが判定される（ステップＳ１０８）。例えば、チューナ３１１において受信されたテレビ番組等の全ての記録が終了したか否かが、又は当該情報記録再生装置３００のユーザにより記録停止の指示がなされたか否かが判定される。【０１２１】
この判定の結果、記録動作を停止しないと判定された場合（ステップＳ１０８：Ｎｏ）、ステップＳ１０４へ戻り、記録動作が継続される。そして、チューナ３１１において受信されたコンテンツデータの記録動作が終了するまで、音声特徴量情報１５０を含むＶＯＢＵ１１０の記録動作が継続される。【０１２２】
他方、記録動作を停止すると判定された場合（ステップＳ１０８：Ｙｅｓ）、記録動作を終了し、必要に応じて光ディスク１００に対してファイナライズ処理を施したり、或いはイジェクトしたりしてもよい。【０１２３】
このように、本実施例に係る情報記録再生装置３００によれば、光ディスク１００に音声特徴量情報１５０を好適に記録することが可能となる。【０１２４】
尚、上述の実施例では、テレビ番組等のコンテンツデータの全体を記録するように構成しているが、例えばコンテンツデータの一部を選択的に光ディスク１００に記録するように構成してもよい。例えば、図１３のステップＳ１０６において作成される音声特徴量情報１５０に基づいて、ユーザ等が所望の特徴を有する一部のコンテンツデータを選択的に光ディスク１００に記録するように構成してもよい。これにより、光ディスク１００に記録されるコンテンツデータのサイズを小さくすることができると共に、少なくとも所望のコンテンツデータは光ディスク１００に記録されているため、ユーザの要求を好適に満たすこともできる。【０１２５】
（２−２）再生動作（Ｎｏ．１）
続いて、図１４及び図１５を参照して、本実施例に係る情報記録再生装置３００の再生動作（Ｎｏ．１）について説明をする。ここに、図１４は、本実施例に係る情報記録再生装置３００の再生動作（Ｎｏ．１）全体の流れを概念的示すフローチャートであり、図１５は、再生動作（Ｎｏ．１）により再生されるコンテンツデータの再生区間を示すグラフである。【０１２６】
尚、再生動作（Ｎｏ．１）は、盛り上がっている（即ち、音量が高い或いはうるさい）一部のコンテンツデータを選択的に再生し、その他の一部のコンテンツデータを早送り再生する再生動作である。即ち、「盛り上がっている」という特徴を有する一部のコンテンツデータを選択的に再生する再生動作である。【０１２７】
図１４に示すように、まず再生の対象となるＶＯＢへアクセスする（ステップＳ２０１）。続いて、当該ＶＯＢ内での最初のＶＯＢＵ１１０へアクセスして、そこに記録されている各種データを読み取る（ステップＳ２０２）。続いて、本発明における「取得手段」の一具体例たるＣＰＵ３４１の制御の下に、アクセスしたＶＯＢＵ１１０に含まれているＲＤＩ１２１を読み取ることで、音量平均値１５３を取得する（ステップＳ２０３）。【０１２８】
その後、ステップＳ２０３で読み取られた音量平均値１５３が所定の閾値よりも大きい（高い）か否かが判定される（ステップＳ２０４）。例えば、所定の閾値として、例えば当該コンテンツデータを視聴するユーザ個々の好みや或いは一般的な視聴者の好み等に応じて実験的、経験的、数学的又は理論的に、若しくはシミュレーション等を用いて個別具体的により適切な所定の値を指定することが好ましい。【０１２９】
この判定の結果、閾値よりも大きいと判定された場合（ステップＳ２０４：Ｙｅｓ）、当該閾値よりも大きい音量平均値１５３を含むＶＯＢＵ１１０（即ち、ステップＳ２０２又は後述のステップＳ２０８においてアクセスされたＶＯＢＵ１１０）が再生される（ステップＳ２０５）。即ち、このＶＯＢＵ１１０が含むビデオパック及びオーディオパックにより示される映像や音声が再生される。その後ステップＳ２０７へ進む。【０１３０】
他方、閾値よりも大きくないと判定された場合（ステップＳ２０４：Ｎｏ）、この閾値よりも大きくない音量平均値１５３を含むＶＯＢＵ１１０が早送り再生される（ステップＳ２０６）。即ち、次にアクセスすべきＶＯＢＵ１１０の前までのコンテンツデータが早送り再生される。具体的には、例えばＭＰＥＧのＩピクチャのみが再生され、他のＢピクチャやＰピクチャの再生が行われないようにすることで、早送り再生を行ってもよい。【０１３１】
その後、ＣＰＵ３４１の制御の下に、再生動作が停止されるか否かが判定される（ステップＳ２０７）。例えば、光ディスク１００に記録されていたテレビ番組等の全ての再生が終了したか否かが、又は当該情報記録再生装置３００のユーザにより再生停止の指示がなされたか否かが判定される。【０１３２】
この判定の結果、再生動作を停止しないと判定された場合（ステップＳ２０７：Ｎｏ）、続いて、次のＶＯＢＵ１１０（即ち、ステップＳ２０５において再生されたＶＯＢＵ１１０又はステップＳ２０６において早送り再生されたＶＯＢＵ１１０の次にアクセスされるべきＶＯＢＵ１１０）へアクセスして、そこに記録されている各種データを読み取る（ステップＳ２０８）。その後、ステップＳ２０８においてアクセスされたＶＯＢＵ１１０を対象として、再び上述の各ステップの動作を繰り返す。他方、再生動作を停止すると判定された場合（ステップＳ２０７：Ｙｅｓ）、再生動作を終了し、必要に応じて光ディスク１００をイジェクトしたりしてもよい。【０１３３】
この結果、例えば図４のグラフに示す音声特徴量情報１５０を含むコンテンツデータが再生動作（Ｎｏ．１）の再生対象となっていれば、図１５のグラフの太線部分にて示すように、一部の区間における一部のコンテンツデータが選択的に再生される。即ち、区間Ｂの途中から区間Ｄの途中までのコンテンツデータが再生され、区間Ｇの途中から区間Ｈの最後までのコンテンツデータが再生される。これにより、ユーザが盛り上がっているシーン（ハイライトシーン）を視聴することができると共に、情報記録再生装置３００においても比較的低負荷でハイライトシーンを選択する再生動作を実行することができる。【０１３４】
（２−３）再生動作（Ｎｏ．２）
続いて、図１６及び図１７を参照して、本実施例に係る情報記録再生装置３００の再生動作（Ｎｏ．２）について説明をする。ここに、図１６は、再生動作（Ｎｏ．２）全体の流れを概念的示すフローチャートであり、図１７は、再生動作（Ｎｏ．２）により再生されるコンテンツデータの再生区間を示すグラフである。【０１３５】
尚、再生動作（Ｎｏ．２）は、今まさに盛り上がろうとしている（即ち、音量が増加傾向にある）一部のコンテンツデータを選択的に再生し、その他の一部のコンテンツデータを早送り再生する再生動作である。即ち、「今まさに盛り上がろうとしている」という特徴を有する一部のコンテンツデータを選択的に再生する再生動作である。また、上述の再生動作（Ｎｏ．１）と同様の動作については、再生動作（Ｎｏ．２）においても同様のステップ番号を付してその詳細な説明を省略する。【０１３６】
図１６に示すように、まず再生の対象となるＶＯＢへアクセスする（ステップＳ２０１）。続いて、当該ＶＯＢ内での最初のＶＯＢＵ１１０へアクセスして、そこに記録されている各種データを読み取る（ステップＳ２０２）。そして、当該再生動作（Ｎｏ．２）において用いられる変数ｉを初期化する。即ち、ｉを“０”とする（ステップＳ３０１）。【０１３７】
続いて、本発明における「取得手段」の一具体例たるＣＰＵ３４１の制御の下に、アクセスしたＶＯＢＵ１１０に含まれているＲＤＩ１２１を読み取ることで、音声傾向フラグ１５１を取得する（ステップＳ３０２）。その後、ＣＰＵ３４１の制御の下に、取得した音声傾向フラグ１５１が増加傾向にあることを示しているか（即ち、“０１ｂ”を示しているか）否かが判定される（ステップＳ３０３）。【０１３８】
この判定の結果、増加傾向にあることを示していない（“０１ｂ”を示していない）と判定された場合（ステップＳ３０３：Ｎｏ）、変数ｉを初期化して（ステップＳ３０６）、この増加傾向を示していない音量傾向フラグ１５１を含んでいるＶＯＢＵ１１０が早送り再生される（ステップＳ２０６）。即ち、次にアクセスすべきＶＯＢＵ１１０の前までのコンテンツデータが早送り再生される。その後ステップＳ２０７へ進む。【０１３９】
他方、増加傾向にあることを示していると判定された場合（ステップＳ３０３：Ｙｅｓ）、変数ｉをインクリメントし（ステップＳ３０４）、該変数ｉが５よりも大きいか否かが判定される（ステップＳ３０５）。このステップは、仮に１つの音量傾向フラグ１５１が増加傾向にあることを示していても、単に瞬間的に増加傾向にあることを示しているにすぎない場合は、ＶＯＢＵ１１０の再生を行わないような再生動作を実現するためのステップである。これにより、概ね５つぐらいのＶＯＢＵ１１０が連続して全て増加傾向にある場合に、初めて「今まさに盛り上がろうとしている」と判定され、実際にＶＯＢＵ１１０が再生される。従って、この“５”という数値は、これに限られるものではなく、「今まさに盛り上がろうとしている」と判定されやすくするためには、小さい数値（例えば、“４”や“３”等）を用いることが好ましく、他方「今まさに盛り上がろうとしている」と判定されにくくするためには、大きい数値（例えば、“６”や“７”等）を用いることが好ましい。【０１４０】
この判定の結果、５よりも大きくないと判定された場合（ステップＳ３０５：Ｎｏ）、次にアクセスすべきＶＯＢＵ１１０の前までのコンテンツデータが早送り再生される。（ステップＳ２０６）。【０１４１】
他方、５よりも大きいと判定された場合（ステップＳ３０５：Ｙｅｓ）、１つのＶＯＢＵ１１０が再生される（ステップＳ２０５）。このとき、再生時間軸を過去にさかのぼってＶＯＢＵ１１０を再生するように構成してもよい。即ち、５よりも大きいと判定されるまでに取得している、夫々増加傾向にあることを示す音量傾向フラグ１５１を有する５つのＶＯＢＵ１１０を再生するように構成してもよい。【０１４２】
その後、ＣＰＵ３４１の制御の下に、再生動作が停止されるか否かが判定される（ステップＳ２０７）。【０１４３】
この判定の結果、再生動作を停止しないと判定された場合（ステップＳ２０７：Ｎｏ）、続いて、次のＶＯＢＵ１１０（即ち、ステップＳ２０５において再生されたＶＯＢＵ１１０又はステップＳ２０６において早送り再生されたＶＯＢＵ１１０の次にアクセスされるべきＶＯＢＵ１１０）へアクセスして、そこに記録されている各種データを読み取る（ステップＳ２０８）。その後、ステップＳ２０８においてアクセスされたＶＯＢＵ１１０を対象として、再び上述の各ステップの動作を繰り返す。他方、再生動作を停止すると判定された場合（ステップＳ２０７：Ｙｅｓ）、再生動作を終了し、必要に応じて光ディスク１００をイジェクトしたりしてもよい。【０１４４】
この結果、例えば図４のグラフに示す音声特徴量情報１５０を含むコンテンツデータが再生動作（Ｎｏ．２）の再生対象となっていれば、図１７のグラフの太線にて示すように、一部の区間における一部のコンテンツデータが選択的に再生される。即ち、区間Ｂ、区間Ｅ及び区間Ｇのコンテンツデータが再生される。これにより、ユーザがいままさに盛り上がろうとしているシーンを視聴することができると共に、情報記録再生装置３００においても比較的低負荷でこのようなシーンを選択する再生動作を実行することができる。【０１４５】
尚、上述のフローチャートでは、ｉ＞５である場合において、増加傾向を示す音量傾向フラグ１５１が得られなかった場合（即ち、ステップＳ３０３：Ｎｏ）には、ｉを初期化しているが、これに代えて、ｉをデクリメントするように構成してもよい。これにより、瞬間的に音量傾向フラグ１５１が減少傾向にある場合等には、そのまま再生動作を継続することができ、映像がスムーズにつながるような再生動作を実現することが可能となる。【０１４６】
（２−４）再生動作（Ｎｏ．３）
続いて、図１８及び図１９を参照して、本実施例に係る情報記録再生装置３００の再生動作（Ｎｏ．３）について説明をする。ここに、図１８は、ビデオコンテンツの輝度の変化を示すグラフであり、図１９は、再生動作（Ｎｏ．３）全体の流れを概念的示すフローチャートである。【０１４７】
尚、再生動作（Ｎｏ．３）は、上述の再生動作（Ｎｏ．１）及び再生動作（Ｎｏ．２）のようにオーディオコンテンツに関する音声特徴量情報１５０に基づいて行なわれる再生動作ではなく、ビデオコンテンツに関する映像特徴量情報１６０に基づいて行われる再生動作である。より具体的には、ＣＭ（コマーシャル）を自動的にカットしてコンテンツデータを再生する再生動作である。また、上述の再生動作（Ｎｏ．１）又は再生動作（Ｎｏ．２）と同様の動作については、再生動作（Ｎｏ．３）においても同様のステップ番号を付してその詳細な説明を省略する。【０１４８】
初めに、再生動作（Ｎｏ．３）におけるＣＭのカットの原理について図１８を参照して簡単に説明する。図１８に示すように輝度が変化するビデオコンテンツがあるとする。このビデオコンテンツでは、区間Ａ及び区間Ｃにおけるビデオコンテンツは映画等の番組に相当し、他方区間Ｂ及び区間ＤにおけるビデオコンテンツはＣＭに相当する。【０１４９】
一般的に映画からＣＭへ画面が切り替わる場合は、映画のシーンがフェードアウトしていき（即ち、徐々に暗くなってしていき）、ＣＭが突然始まる。従って、フェードアウトしていく再生区間を識別すれば、映画からＣＭへ画面が切り替わる瞬間を識別することができる。他方、ＣＭから映画へ画面が切り替わる場合は、ＣＭが突然終了し、映画のシーンがフェードインしてくる（即ち、徐々に明るくなってくる）。従って、フェードインしていく再生区間を識別すれば、ＣＭから映画へ画面が切り替わる瞬間を識別することができる。これにより、あるコンテンツデータ中におけるＣＭをカットする再生動作を実現する。【０１５０】
尚、フェードイン又はフェードアウトしていく再生区間を識別するために、例えば上述した輝度傾向フラグ１６１や輝度差分値１６２や輝度平均値１６３が用いられる。例えば、あるＶＯＢＵ１１０の前後で輝度傾向フラグ１６１が変化しており、あるＶＯＢＵ１１０の輝度差分値１６２が相対的に大きく、且つあるＶＯＢＵ１１０の輝度平均値１６３が相対的に小さければ（即ち、暗ければ）当該ＶＯＢＵ１１０を含む再生区間において、フェードイン又はフェードアウトしていると考えられる。【０１５１】
また、フェードイン又はフェードアウトしていく再生区間は、映画とＣＭの切り替わり以外にも、実際の映画中においても見られる可能性はあるため、例えばオーディオコンテンツに基づいて映画とＣＭの切り替わりを合わせて確認することが好ましい。そして、両者の組合せから、映画とＣＭとの切り替わりを判定することが好ましい。【０１５２】
以下、具体的な再生動作（Ｎｏ．３）の流れを説明する。【０１５３】
図１９に示すように、まず再生の対象となるＶＯＢへアクセスする（ステップＳ２０１）。続いて、当該ＶＯＢ内での最初のＶＯＢＵ１１０へアクセスして、そこに記録されている各種データを読み取る（ステップＳ２０２）。その後、情報記録再生装置３００のモードを「再生モード」に設定する（ステップＳ４０１）。【０１５４】
続いて、ステップＳ２０２においてアクセスしたＶＯＢＵ１１０中のＲＤＩ１２１より輝度傾向フラグ１６１を取得する（ステップＳ４０２）。そして、取得した輝度傾向フラグ１６１をフラグレジスタへ格納する（ステップＳ４０３）。その後、ステップＳ２０２においてアクセスしたＶＯＢＵ１１０の次にアクセスすべきＶＯＢＵ１１０へアクセスする（ステップＳ２０８）。そして、このＶＯＢＵ１１０のＲＤＩ１２１より輝度傾向フラグ１６１を取得する。【０１５５】
続いて、ＣＰＵ３４１の制御の下に、ステップＳ２０８においてアクセスしたＶＯＢＵ１１０の輝度傾向フラグ１６１が、フラグレジスタに格納された輝度傾向レジスタ１６１と比較して変化しているか否かが判定される（ステップＳ４０４）。【０１５６】
ステップＳ４０４における判定の結果、変化していないと判定された場合（ステップＳ４０４：Ｎｏ）、映画からＣＭへ又はＣＭから映画へは切り替わっていないと判定される。即ち、情報記録再生装置３００のモードを「再生モード」から「早送りモード」へ又は「早送りモード」から「再生モード」へ切り替える必要はないと判定される。そして、現在の情報記録再生装置３００のモードが「再生モード」であるか否かが判定される（ステップＳ４０８）。【０１５７】
ステップＳ４０８における判定の結果、「再生モード」であると判定された場合（ステップＳ４０８：Ｙｅｓ）、現在は映画を再生していると判定されるため、そのまま再生を継続するべく１つのＶＯＢＵ１１０（具体的には、ステップＳ２０８においてアクセスしたＶＯＢＵ１１０）を再生する（ステップＳ２０５）。その後、ステップＳ２０７へ進む。【０１５８】
他方、ステップＳ４０８における判定の結果、「再生モード」でない（即ち、「早送りモード」である）と判定された場合（ステップＳ４０８：Ｎｏ）、現在はＣＭを早送り再生していると判定されるため、そのまま早送り再生を継続するべく１つのＶＯＢＵ１１０（具体的には、ステップＳ２０８においてアクセスしたＶＯＢＵ１１０）を早送り再生する（ステップＳ２０６）。即ち、ステップＳ２０８においてアクセスしたＶＯＢＵ１１０の次にアクセスすべきＶＯＢＵ１１０の前までのコンテンツデータが早送り再生される。【０１５９】
他方、ステップＳ４０４における判定の結果、変化していると判定された場合（ステップＳ４０４：Ｙｅｓ）、続いて、ＣＰＵ３４１の制御の下に、輝度差分値１６２が所定の閾値Ｎ１より大きいか否かが判定される（ステップＳ４０５）。この所定の閾値Ｎ１として、例えば当該コンテンツデータの特性等に応じて、実験的、経験的、数学的又は理論的に、若しくはシミュレーション等を用いて個別具体的により適切な所定の値を指定することが好ましい。【０１６０】
ステップＳ４０５における判定の結果、閾値Ｎ１より大きくないと判定された場合（ステップＳ４０５：Ｎｏ）、映画からＣＭへ又はＣＭから映画へは切り替わっていないと判定される。そして、ステップＳ４０８へ進み、上述した各ステップが実行される。【０１６１】
他方、ステップＳ４０５における判定の結果、閾値Ｎ１より大きいと判定された場合（ステップＳ４０５：Ｙｅｓ）、続いて、ＣＰＵ３４１の制御の下に、輝度平均値１６３が所定の閾値Ｎ２より小さいか否かが判定される（ステップＳ４０６）。この所定の閾値Ｎ２として、例えば当該コンテンツデータの特性等に応じて、実験的、経験的、数学的又は理論的に、若しくはシミュレーション等を用いて個別具体的により適切な所定の値を指定することが好ましい。【０１６２】
ステップＳ４０６における判定の結果、閾値Ｎ２より小さくないと判定された場合（ステップＳ４０６：Ｎｏ）、映画からＣＭへ又はＣＭから映画へは切り替わっていないと判定される。そして、ステップＳ４０８へ進み、上述した各ステップが実行される。【０１６３】
他方、ステップＳ４０６における判定の結果、閾値Ｎ２より小さいと判定された場合（ステップｓ４０６：Ｙｅｓ）、映画からＣＭへ又はＣＭから映画へ切り替わっていると判定される。即ち、情報記録再生装置３００のモードを「再生モード」から「早送りモード」へ又は「早送りモード」から「再生モード」へ切り替える必要があると判定される。そして、現在の情報記録再生装置３００のモードが「再生モード」であるか否かが判定される（ステップＳ４０７）。【０１６４】
ステップＳ４０７における判定の結果、「再生モード」であると判定された場合（ステップＳ４０７：Ｙｅｓ）、現在は映画を再生していると判定されるため、次のＶＯＢＵ１１０に含まれるＣＭをカットして再生するべく、情報記録再生装置３００のモードが「早送りモード」に設定される（ステップＳ４０９）。そして、１つのＶＯＢＵ１１０（具体的には、ステップＳ２０８においてアクセスしたＶＯＢＵ１１０）を早送り再生する（ステップＳ２０６）。即ち、ステップＳ２０８においてアクセスしたＶＯＢＵ１１０の次にアクセスすべきＶＯＢＵ１１０の前までのコンテンツデータが早送り再生される。【０１６５】
他方、ステップＳ４０７における判定の結果、「再生モード」でないと判定された場合（ステップＳ４０７：Ｎｏ）、現在はＣＭを早送り再生していると判定されるため、次のＶＯＢＵ１１０に含まれる映画を再生するべく、情報記録再生装置３００のモードが「再生モード」に設定される（ステップＳ４１０）。そして、１つのＶＯＢＵ１１０（具体的には、ステップＳ２０８においてアクセスしたＶＯＢＵ１１０）を再生する（ステップＳ２０６）。【０１６６】
その後、ＣＰＵ３４１の制御の下に、再生動作が停止されるか否かが判定される（ステップＳ２０７）。【０１６７】
この判定の結果、再生動作を停止しないと判定された場合（ステップＳ２０７：Ｎｏ）、続いて、ステップＳ２０５において再生されたＶＯＢＵ１１０又はステップＳ２０６において早送り再生されたＶＯＢＵ１１０のＲＤＩ１２１に含まれる輝度傾向フラグ１６１をフラグレジスタへ格納する（ステップＳ４０３）。そして、次のＶＯＢＵ１１０（即ち、ステップＳ２０５において再生されたＶＯＢＵ１１０又はステップＳ２０６において早送り再生されたＶＯＢＵ１１０の次にアクセスされるべきＶＯＢＵ１１０）へアクセスして、再び上述の各ステップの動作を繰り返す。他方、再生動作を停止すると判定された場合（ステップＳ２０７：Ｙｅｓ）、再生動作を終了し、必要に応じて光ディスク１００をイジェクトしたりしてもよい。【０１６８】
この結果、図１８に示すように輝度が変化するビデオコンテンツを再生すれば、映画に相当する区間Ａ及び区間Ｃのコンテンツデータが選択的に再生され、ＣＭに相当する区間Ｂ及び区間Ｄのコンテンツデータは早送り再生される。従って、ユーザは、ＣＭが自動的にカットされた映画を視聴することができる。【０１６９】
尚、１つのＶＯＢＵ１１０は概ね０．５秒程度の再生時間を有するコンテンツデータを含んでいる。従って、フェードイン又はフェードアウトがなされる時間（概ね数秒程度）と比較して十分に短く、ＶＯＢＵ１１０単位の映像特徴量情報１６０を用いれば、十分にフェードイン又はフェードアウトしていく再生区間を識別することはできる。【０１７０】
以上説明したように、本実施例に係る情報記録再生装置３００によれば、光ディスク１００に予め記録されている音声特徴量情報１５０や映像特徴情報１６０に基づいて、多種多様な再生動作を実現することができる。【０１７１】
尚、光ディスク１００に音声特徴量情報１５０や映像特徴量情報１６０が予め記録情報が予め記録されていなければ、再生動作と並行してリアルタイムに音声特徴量情報１５０や映像特徴量情報或いはそれに類似する情報を取得し、上述のように所望の特徴を有する一部のコンテンツデータを選択的に再生するように構成してもよい。これによっても、多種多様な再生動作を実現することができる。但し、情報記録再生装置３００の処理負荷を低減するという観点からは、音声特徴量情報１５０や映像特徴量情報１６０は予め光ディスク１００上に記録されていることが好ましい。【０１７２】
また、上述の再生動作（Ｎｏ．１）から再生動作（Ｎｏ．２）において例示した再生動作の態様以外にも、当然他の多種多様な再生動作を行なうことが可能であることはいうまでもない。例えば図５の表にて示すような一部の再生区間を選択的に再生するような再生動作を行うことも可能である。或いは、操作ボタン３５０を用いたユーザからの外部入力に基づいて、ユーザが指定する再生動作の態様を実現するように構成してもよい。このとき、ユーザは、例えば「ハイライトシーンの再生」や「ＣＭカット」等の指示を入力するように構成してもよいし、例えば上述のフローチャートにおける閾値等を直接的に入力するように構成してもよいし、音声特徴量情報１５０や映像特徴量情報１６０の形式に対応して例えば再生を希望するＶＯＢＵ１１０に含まれる音声傾向フラグ１５１等の条件等を細かく入力してもよいし、或いは、予め設定された所定の再生動作の態様をリストとして表示し、当該リストからユーザに所望の再生動作を選択させるように構成してもよい。或いは、例えばＣＰＵ３４１等の動作により、再生動作の態様を自動的に選択するように構成してもよい。例えば、ＣＭが含まれているテレビ番組等を再生する場合には、デフォールトでＣＭカットを行う再生動作がＣＰＵ３４１の動作により自動的に選択されるように構成してもよい。【０１７３】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。【０１７４】
本発明は、上述した実施例に限られるものではなく、請求の範囲及び明細書全体から読み取れる発明の要旨或いは思想に反しない範囲で適宜変更可能であり、そのような変更を伴なう情報記録媒体、情報記録装置及び方法、情報再生装置及び方法、並びに、記録制御用の及び再生制御用のコンピュータプログラムもまた本発明の技術的範囲に含まれるものである。
【産業上の利用可能性】
【０１７５】
本発明に係る情報記録媒体、情報記録装置及び方法、情報再生装置及び方法、並びにコンピュータプログラムは、例えば、ＤＶＤ等の高密度光ディスクに利用可能であり、更にＤＶＤレコーダ、ＤＶＤプレーヤ等の情報記録再生装置に利用可能である。また、例えば民生用或いは業務用の各種コンピュータ機器に搭載される又は各種コンピュータ機器に接続可能な情報記録再生装置等にも利用可能である。
【図１】
2005125196.tif 000002
【図２】
2005125196.tif 000003
【図３】
2005125196.tif 000004
【図４】
2005125196.tif 000005
【図５】
2005125196.tif 000006
【図６】
2005125196.tif 000007
【図７】
2005125196.tif 000008
【図８】
2005125196.tif 000009
【図９】
2005125196.tif 000010
【図１０】
2005125196.tif 000011
【図１１】
2005125196.tif 000012
【図１２】
2005125196.tif 000013
【図１３】
2005125196.tif 000014
【図１４】
2005125196.tif 000015
【図１５】
2005125196.tif 000016
【図１６】
2005125196.tif 000017
【図１７】
2005125196.tif 000018
【図１８】
2005125196.tif 000019
【図１９】
2005125196.tif 000020
【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
全体コンテンツ情報と、
前記全体コンテンツ情報の一部である少なくとも一つの部分コンテンツ情報が示すコンテンツ内容の特徴を示す特徴量情報と
が記録されており、
前記全体コンテンツ情報は、前記部分コンテンツ情報の単位で構成されており、
前記特徴量情報は、前記部分コンテンツ情報の単位毎に記録されていることを特徴とする情報記録媒体。
【請求項２】
前記部分コンテンツ情報の大きさは、前記全体コンテンツ情報を記録する際の最小ユニット単位の大きさであることを特徴とする請求項１に記載の情報記録媒体。
【請求項３】
前記全体コンテンツ情報は、少なくとも音声コンテンツを含んでおり、
前記特徴量情報は、前記部分コンテンツ情報中における前記音声コンテンツの音量値の平均、前記部分コンテンツ情報中における前記音量値の増減の傾向、並びに前記部分コンテンツ情報の開始部分及び終了部分の夫々の前記音量値の差分の少なくとも一つを含むことを特徴とする請求項１に記載の情報記録媒体。
【請求項４】
前記全体コンテンツ情報は、少なくとも映像コンテンツを含んでおり、
前記特徴量情報は、前記部分コンテンツ情報中における前記映像コンテンツの輝度値の平均、前記部分コンテンツ情報中における前記輝度値の増減の傾向、並びに前記部分コンテンツ情報の開始部分及び終了部分の夫々の前記輝度値の差分の少なくとも一つを含むことを特徴とする請求項１に記載の情報記録媒体。
【請求項５】
前記全体コンテンツ情報は、少なくとも音声コンテンツを含んでおり、
前記特徴量情報は、前記全体コンテンツ情報の全再生時刻にわたる前記音声コンテンツの音量値の変化を示す音量変化情報を含むことを特徴とする請求項１に記載の情報記録媒体。
【請求項６】
前記全体コンテンツ情報は、少なくとも映像コンテンツを含んでおり、
前記特徴量情報は、前記全体コンテンツ情報の全再生時刻にわたる前記映像コンテンツの輝度値の変化を示す輝度変化情報を含むことを特徴とする請求項１に記載の情報記録媒体。
【請求項７】
前記部分コンテンツ情報の先頭部分に、当該部分コンテンツ情報の前記特徴を示す前記特徴量情報が含まれるように、前記特徴量情報が記録されることを特徴とする請求項１に記載の情報記録媒体。
【請求項８】
請求項１に記載の情報記録媒体に前記全体コンテンツ情報を記録する情報記録装置であって、
前記全体コンテンツ情報を記録する第１記録手段と、
前記全体コンテンツ情報より前記特徴を抽出して前記特徴量情報を作成する作成手段と、
前記作成された特徴量情報を記録する第２記録手段と
を備えることを特徴とする情報記録装置。
【請求項９】
前記第１記録手段は、前記部分コンテンツ情報を記録することで前記全体コンテンツ情報を記録し、
前記第２記録手段は、前記部分コンテンツ情報に、当該部分コンテンツ情報の前記特徴を示す前記特徴量情報が含まれるように前記特徴量情報を記録することを特徴とする請求項８に記載の情報記録装置。
【請求項１０】
前記全体コンテンツ情報は、少なくとも音声コンテンツを含んでおり、
前記作成手段は、前記部分コンテンツ情報中における前記音声コンテンツの音量値の平均、前記部分コンテンツ情報中における前記音量値の増減の傾向、並びに前記部分コンテンツ情報の開始部分及び終了部分の夫々の前記音量値の差分の少なくとも一つを含む前記特徴量情報を作成することを特徴とする請求項８に記載の情報記録装置。
【請求項１１】
前記全体コンテンツ情報は、少なくとも映像コンテンツを含んでおり、
前記作成手段は、前記部分コンテンツ情報中における前記映像コンテンツの輝度値の平均、前記部分コンテンツ情報中における前記輝度値の増減の傾向、並びに前記部分コンテンツ情報の開始部分及び終了部分の夫々の前記輝度値の差分の少なくとも一つを含む前記特徴量情報を作成することを特徴とする請求項８に記載の情報記録装置。
【請求項１２】
前記第１記録手段は、前記作成される特徴量情報に基づき、前記全体コンテンツ情報のうち所望の前記特徴を有する前記部分コンテンツ情報を選択的に記録することを特徴とする請求項８に記載の情報記録装置。
【請求項１３】
請求項１に記載の情報記録媒体に前記全体コンテンツ情報を記録する情報記録方法であって、
前記全体コンテンツ情報を記録する第１記録工程と、
前記全体コンテンツ情報より前記特徴を抽出して前記特徴量情報を作成する作成工程と、
前記作成された特徴量情報を記録する第２記録工程と
を備えることを特徴とする情報記録方法。
【請求項１４】
請求項１に記載の情報記録媒体に記録された前記全体コンテンツ情報を再生する情報再生装置であって、
前記特徴量情報を取得する取得手段と、
前記取得した特徴量情報に基づいて、前記全体コンテンツ情報のうち所望の前記特徴を有する前記部分コンテンツ情報を選択的に再生する再生手段と
を備えることを特徴とする情報再生装置。
【請求項１５】
前記全体コンテンツ情報は、少なくとも音声コンテンツを含んでおり、
前記取得手段は、前記特徴量情報として、前記部分コンテンツ情報中における前記音声コンテンツの音量値の平均、前記部分コンテンツ情報中における前記音量値の増減の傾向、並びに前記部分コンテンツ情報の開始部分及び終了部分の夫々の前記音量値の差分の少なくとも一つを取得することを特徴とする請求項１４に記載の情報再生装置。
【請求項１６】
前記全体コンテンツ情報は、少なくとも映像コンテンツを含んでおり、
前記取得手段は、前記特徴量情報として、前記部分コンテンツ情報中における前記映像コンテンツの輝度値の平均、前記部分コンテンツ情報中における前記輝度値の増減の傾向、並びに前記部分コンテンツ情報の開始部分及び終了部分の夫々の前記輝度値の差分の少なくとも一つを取得することを特徴とする請求項１４に記載の情報再生装置。
【請求項１７】
前記所望の特徴を設定する設定手段を更に備えることを特徴とする請求項１４に記載の情報再生装置。
【請求項１８】
請求項１に記載の情報記録媒体に記録された前記全体コンテンツ情報を再生する情報再生方法であって、
前記特徴量情報を取得する取得工程と、
前記取得した特徴量情報に基づいて、前記全体コンテンツ情報のうち所望の特徴を有する前記部分コンテンツ情報を選択的に再生する再生工程と
を備えることを特徴とする情報再生方法。
【請求項１９】
請求項８に記載の情報記録装置に備えられたコンピュータを制御する記録制御用のコンピュータプログラムであって、該コンピュータを、前記第１記録手段、前記作成手段及び前記第２記録手段のうち少なくとも一部として機能させることを特徴とするコンピュータプログラム。
【請求項２０】
請求項１４に記載の情報再生装置に備えられたコンピュータを制御する再生制御用のコンピュータプログラムであって、該コンピュータを、前記取得手段及び前記再生手段のうち少なくとも一部として機能させることを特徴とするコンピュータプログラム。
【国際調査報告】
2005125196.tif 000021
2005125196.tif 000022